(57)【要約】【課題】自動販売機での商品購入の際に吸殻等のゴミを捨てられるように構成した自動販売機設置型ゴミ収容装置を提供する。【解決手段】所定代金が受領されて商品を供給する自動販売機に接続される自動販売機設置型ゴミ収容装置であって、自動販売機に隣接して備えられるゴミ等を投入できる投入口を有した収容部と、収容部の投入口に設けられた、収容部を外部から遮断する開閉可能な蓋と、蓋を開閉するための駆動手段と、自動販売機で商品が購入された時に駆動手段を駆動する駆動制御手段とを備える。このように構成すれば、自動販売機に所定代金が受領されて商品が購入された時に、ゴミ等を収容部に投入できるように駆動制御手段により蓋が開放される【選択図】　図１
2004018169.tif 000002
【特許請求の範囲】
【請求項１】
所定代金が受領されて商品を供給する自動販売機に接続される自動販売機設置型ゴミ収容装置であって、
前記自動販売機に隣接して備えられる、ゴミ等を投入できる投入口を有した収容部と、
前記収容部の投入口に設けられた、前記収容部を外部から遮断する開閉可能な蓋と、
前記蓋を開閉するための駆動手段と、
前記自動販売機で商品が購入された時に前記駆動手段を駆動する駆動制御手段と、
を備え、前記自動販売機に所定代金が受領されて商品が購入された時に、ゴミ等を前記収容部に投入できるように前記駆動制御手段により前記蓋が開放されることを特徴とする自動販売機設置型ゴミ収容装置。
【請求項２】
所定代金が受領されて煙草を供給する煙草の自動販売機に接続される自動販売機設置型ゴミ収容装置であって、
前記煙草の自動販売機に隣接して備えられる、吸殻を投入できる投入口を有した煙草の吸殻を収容するための収容部と、
前記収容部の投入口に設けられた、前記収容部を外部から遮断する開閉可能な蓋と、
前記蓋を開閉するための駆動手段と、
前記煙草の自動販売機で煙草が購入された時に前記駆動手段を駆動する駆動制御手段と、
を備え、前記煙草の自動販売機に所定代金が受領されて煙草が購入された時に、吸殻を前記収容部に投入できるように前記駆動制御手段により前記蓋が開放されることを特徴とする吸殻入れの機能を有する自動販売機設置型ゴミ収容装置。
【請求項３】
前記自動販売機に所定代金が受領されて商品が購入された時に、吸殻等のゴミを前記収容部に投入できるように前記駆動制御手段により前記蓋が所定時間開放された後は、前記駆動制御手段が前記蓋を自動的に閉止することを特徴とする請求項１又は２に記載の自動販売機設置型ゴミ収容装置。
【請求項４】
前記蓋を開放させる前記駆動制御手段を作動させるための代金を投入する現金投入口を備え、前記現金投入口から所定代金が投入されると、吸殻等のゴミを前記収容部に投入できるように前記駆動制御手段により前記蓋が開放されることを特徴とする請求項１ないし３のいずれか１項に記載の自動販売機設置型ゴミ収容装置。
【請求項５】
前記収容部は、収容した吸殻等のゴミを取り出すための収容物取り出し口を備えることを特徴とする請求項１ないし４のいずれか１項に記載の自動販売機設置型ゴミ収容装置。
【請求項６】
前記収容部は、投入口から投入される吸殻等の燃焼性物質を消火する消火機構を内部に備えることを特徴とする請求項１ないし５に記載の自動販売機設置型ゴミ収容装置。
【請求項７】
所定代金が受領されて商品を供給する自動販売機に接続される自動販売機設置型ゴミ収容装置であって、
前記自動販売機に隣接して備えられる、ゴミ等を投入できる投入口を有した収容部と、
前記収容部の投入口に設けられた、前記収容部を外部から遮断する開閉可能な蓋と、
通常はその蓋を閉状態にロックしているが前記自動販売機で商品が購入された時の信号に基づき、その蓋のロックを解除して蓋を開放可能とし前記収容部にゴミ等を投入可能とする蓋ロック解除手段と、
を含むことを特徴とする自動販売機設置型ゴミ収容装置。
【請求項８】
所定代金が受領されて商品を供給する自動販売機に接続される自動販売機設置型ゴミ収容装置であって、
前記自動販売機に隣接して備えられる、投入されたゴミ等を収容する収容部を含み、
通常は前記収容部を外部から遮断するように閉状態にロックして、前記自動販売機で商品が購入された時の信号に基づき前記収容部のロックを解除して前記収容部にゴミ等を投入可能とすることを特徴とする自動販売機設置型ゴミ収容装置。
【発明の詳細な説明】
【０００１】
【発明の属する技術分野】
本発明は、例えば道路や屋内施設等に備えて使用される、煙草の吸殻等のゴミを投入できるゴミ収容装置に関するものであって、特に、自動販売機に設置するタイプのゴミ収容装置に関する。
【０００２】
【従来の技術】
従来のゴミ容器においては、蓋付きの容器や蓋のない単純な容器が使用されている。しかし近年、マナーが悪い等の問題により、公園等の一部の施設ではゴミ容器を排除し、各自が持ち帰り各自で処分するようにしているところもある。また、家庭用ゴミの分別化や粗大ゴミの有料化が進んでおり、我々の生活においてゴミ処理問題は、近年大きな社会的問題として取りあげられていることがわかる。
【０００３】
現在、コンビニエンスストアやスーパーの店頭には分別用に例えば、ペットボトル用、可燃ゴミ用、缶・ビン以外の不燃ゴミ用のように、数種類のゴミ容器を設置している所も数多い。また、それらゴミ容器に隣接して煙草の吸殻スタンドを設置している所もある。
【０００４】
【発明が解決しようとする課題】
しかし、缶ジュース類の自動販売機では、缶専用のゴミ容器を自動販売機に隣接して備えることは一般的なものの、一方で煙草の自動販売機においては、煙草を購入する際でも吸殻専用のゴミ容器は大概において設置されておらず、また、車に乗っていて、車の吸殻入れにたまった吸殻を捨てたいと思った際にも、捨てる場所がないのが現状である。
【０００５】
また、上記に示したように近年の社会的問題から、近い将来、公共施設における一般ゴミ等のゴミ処理の有料化も十分に考えられる。
【０００６】
また、通常は煙草の吸殻ゴミは可燃ゴミとして扱われるが、煙草の吸い差しは時に火が完全に消えていない場合もあり、一般の可燃ゴミと同様な取り扱いでは、実質上危険である。実際、ゴミ容器の近くに灰皿等が設置されていないような場合、マナーの悪い人間によって火のついた煙草がゴミ容器内に投げ込まれるようなことがあり、ゴミ容器内で可燃ゴミに引火し、火災の原因にもなる。
【０００７】
また、火災にまで発展しなくとも、ゴミ容器内にはビニールや紙袋等の汚物収納袋が装着されていることが多く、これらの汚物収納袋は通常紙やビニール等の可燃性物質であるため、火のついた吸い殻等が投入されると、容器が燃えたり、容器の内壁にこれらが溶着したりすることもある。
【０００８】
そこで、本発明は前述の問題に鑑みてなされたものであり、本発明の課題は、自動販売機での商品購入の際に吸殻等のゴミを捨てられるように構成した自動販売機設置型ゴミ収容装置を提供することにある。
【０００９】
【課題を解決するための手段及び発明の効果】
本発明は、所定代金が受領されて商品を供給する自動販売機に接続される自動販売機設置型ゴミ収容装置であって、前記自動販売機に隣接して備えられる、ゴミ等を投入できる投入口を有した収容部と、前記収容部の投入口に設けられた、前記収容部を外部から遮断する開閉可能な蓋と、前記蓋を開閉するための駆動手段と、前記自動販売機で商品が購入された時に前記駆動手段を駆動する駆動制御手段と、を備える。この発明は、前記自動販売機に所定代金が受領されて商品が購入された時に、ゴミ等を前記収容部に投入できるように前記駆動制御手段により前記蓋が開放されることを特徴とする。
【００１０】
上記構成によれば、自動販売機にて商品を購入するときに、その自動販売機に隣接して設けられた収容部をゴミ容器として利用することができる。これは、広く公共のゴミ容器として扱われるものではなく、自動販売機を利用した者のみに付加的に与えられるサービスであって、自動販売機利用者に限って使用を許可するゴミ容器とすることができる。
【００１１】
また、自動販売機の中でも特に煙草の自動販売機に着目して、さらに収容部を煙草の吸殻入れとして使用する本発明は、所定代金が受領されて煙草を供給する煙草の自動販売機に接続される自動販売機設置型ゴミ収容装置であって、前記煙草の自動販売機に隣接して備えられる、吸殻を投入できる投入口を有した煙草の吸殻を収容するための収容部と、前記収容部の投入口に設けられた、前記収容部を外部から遮断する開閉可能な蓋と、前記蓋を開閉するための駆動手段と、前記煙草の自動販売機で煙草が購入された時に前記駆動手段を駆動する駆動制御手段と、を備える。前記煙草の自動販売機に所定代金が受領されて煙草が購入された時に、吸殻を前記収容部に投入できるように前記駆動制御手段により前記蓋が開放されることを特徴とする吸殻入れの機能を有する自動販売機設置型ゴミ収容装置である。
【００１２】
上記構成によれば、煙草の自動販売機において煙草を購入したときに、その自動販売機に隣接して設けられた収容部を吸殻入れ専用のゴミ容器として利用することができる。上記と同様に、煙草の自動販売機利用者に限って使用を許可する吸殻入れ専用のゴミ容器とすることができる。
【００１３】
近頃、車内から、車内にたまった吸殻を路上へ放り投げたりする光景がよく見受けられる。マナーの悪さも問題となる所であるが、実際、先に述べたように吸殻を捨てる場所がないことも問題である。本発明によれば、車に乗っていて、途中煙草の自動販売機に立ち寄り、煙草を購入した際に、手軽に車内にたまった吸殻を捨てる場合に有効である。
【００１４】
また、上記の発明はさらに、前記自動販売機に所定代金が受領されて商品が購入された時に、吸殻等のゴミを前記収容部に投入できるように前記駆動制御手段により前記蓋が所定時間開放された後は、前記駆動制御手段が前記蓋を自動的に閉止する構成とすることもできる。
【００１５】
このように構成すれば、あらかじめ定めた一定時間のみ収容部の蓋を開放しておいて、終了後は自動的に蓋を閉止させて、自動販売機利用者以外の他者によるゴミの投入を避けることができる。
【００１６】
また、さらなる発明として、上記の自動販売機設置型ゴミ収容装置は、前記蓋を開放させる前記駆動制御手段を作動させるための代金を投入する現金投入口を備え、前記現金投入口から所定代金が投入されると、吸殻等のゴミを前記収容部に投入できるように前記駆動制御手段により前記蓋が開放されるように構成することもできる。
【００１７】
ここでの現金投入口は、自動販売機の商品購入のための現金投入口とは別のものである。このように構成すれば、現金投入口から所定の現金を投入することによって、駆動制御手段が作動し蓋を開放するので、ごみ収容部内に吸殻等のゴミを投入することができる。例えば商品を購入しないが、吸殻を捨てたいといった時に、自動販売機で煙草等の商品を購入しなくても、ゴミを捨てるゴミ容器としてのみの利用が可能となる。
【００１８】
つまり、吸殻等のゴミを捨てたい時に、所定の代金を支払うことによって有料のゴミ収容装置として機能することとなる。これから先、ゴミ処理の有料化が進む際に特に有効である。
【００１９】
またさらに、本発明の自動販売機設置型ゴミ収容装置は、投入口から投入される吸殻等の燃焼性物質を消火する消火機構を内部に備える構成としてもよい。
【００２０】
先にも述べたように、収容部にはマナーの悪い人間によっては、火が完全に消えていない煙草の吸いさしが投げ込まれる可能性もある。特に紙屑等の可燃物が投入されて、それらが投げ込まれた後に吸い殻が投入されるような場合には、収容部内で発火する可能性が一段と高い。よって、収容部内に消火機構を備えることは有効である。このように構成すれば、万が一、火が完全に消えていない吸殻が投入された時にも、速やかに消火できて安全である。
【００２１】
また、別の観点から本発明は所定代金が受領されて商品を供給する自動販売機に接続される自動販売機設置型ゴミ収容装置であって、前記自動販売機に隣接して備えられる、ゴミ等を投入できる投入口を有した収容部と、前記収容部の投入口に設けられた、前記収容部を外部から遮断する開閉可能な蓋と、通常はその蓋を閉状態にロックしているが前記自動販売機で商品が購入された時の信号に基づき、その蓋のロックを解除して蓋を開放可能とし前記収容部にゴミ等を投入可能とする蓋ロック解除手段と、を含むことを特徴とする。
【００２２】
このように構成すれば、自動販売機で商品を購入した際に、通常は収容部を外部から閉ざしてゴミを投入できないようにロックされている蓋を、蓋ロック解除手段によってロックを解除することができる。ロックが解除されるとその間、蓋を自動もしくは手動で開放させて、収容部へゴミを投入することができる。
【００２３】
【発明の実施の形態】
以下、本発明の実施の形態を図面に示す実施例を参照しつつ、構成から説明する。図１は、本発明の自動販売機設置型ゴミ収容装置の一実施例を示す全体斜視図である。
【００２４】
図１において、１は本発明の自動販売機設置型ゴミ収容装置本体であり、難燃性の樹脂等の耐熱素材で成形した収容部２、本体１の前面上部は手前に傾斜しており、この傾斜面に投入口３を設ける。傾斜面に投入口３を設けたのは、吸殻等のゴミを投入しやすくするためであるが、使用用途や設置場所に応じて、投入口３を本体１の上面に設ける構成としても構わない。４は、投入口３に設けられ、投入口３を開閉する蓋であり、半円形型の皿状板体である。常時、蓋４は収容部と外部を遮断するように閉じている。なお、ここでは、蓋４は半円形型としたが、その他、長方形型や、本体の傾斜面に面積を広く取って大きくした形状としてもよい。また、吸殻等のゴミを投入するのに十分なスペースを形成するように大きく設けてもよい。
【００２５】
ゴミ収容装置の上面には、収容部内のゴミの満杯状態を知らせる満杯表示ランプ１７が設けられ、収容部２内に取り出し可能に備えられる直方体形の内容器９が、前後に回動可能な回収用扉１０の内部に内容器取付け枠１２部分に係合して取り付けられる。図３に、ゴミ収容装置本体１から取り出した内容器９の斜視図を示す。
【００２６】
図２は、本発明の自動販売機設置型ゴミ収容装置の構成例を示す概要図である。図２において、５は、蓋４を駆動する電動モータ等の駆動手段であり、６は駆動手段５の動作を制御する駆動制御手段である。駆動手段５は蓋４を回動させるのでなければ電動モータ等を用いる必要はなく、蓋４の動作を考慮してその他のアクチュエータを用いることができる。図５に、蓋４が開放され投入口３が開口として現れる様子を示す。駆動手段５が動作すると、蓋４が駆動手段５の駆動軸を中心にして、蓋４の裏側を表に向けていく方向に回動反転されて、図５の（ｂ）に示すように投入口３の面と移動後の蓋４とが角θをなす位置で停止する。角θは、９０度以上の鈍角であり、吸殻等のゴミを投入しやすいように開口部を形成することができる。このように、投入口３が開放され、ゴミの投入後は、蓋４は再び元の状態になるまで反転されて再度投入口３を覆う。この際投入されたゴミ等は、収容部２内に落下し、収容される。
【００２７】
図２に戻り、１５は、自動販売機の商品購入時の商品吐き出し信号を検知する商品吐き出し検知手段である。１３は、本ゴミ収容装置と接続した自動販売機を利用せずに、本ゴミ収容装置のゴミ捨て機能のみを利用したい場合に使用される現金投入口である。１４は、現金投入口１３から所定代金が受領されたかを検知する現金清算手段である。１８は、満杯検知を行うための投入物検知センサ、３０はマイクロコンピュータ及びメモリ等から構成された本ゴミ収容装置の総括制御手段である。
【００２８】
総括制御手段３０は現金自動清算手段１４や商品吐き出し検知手段１５等の各種手段及び各種センサと連携して、蓋４の開閉操作等、本装置の各機器の動作を制御する。
【００２９】
満杯検知は、投入物検知センサ１８が、投入物が規定の高さ（内容器９の底面からの高さ等）まで達した状態を検知した場合に、図１に示す満杯表示ランプ１７が総括制御手段３０によって点灯されることで行われる。満杯表示ランプ１７が点灯され、内容器９内のゴミを廃棄するために内容器取付け枠１２との係合を外し、内容器９を取り出し、中のゴミを廃棄して再び空の内容器９が収容部２内に取り付けられると、制御手段３０は満杯表示ランプ１７を消灯させる。なお、満杯検知の方法としては、光電式、超音波式等のセンサを用いてもよい。
【００３０】
１６は、内容器９の内部へ作用するように収容部２内に設けられる消火機構である。吸殻ゴミの場合、煙草の吸い差し等で火が完全に消えていないものや、内部にまだ燃焼性の熱を持ったままのゴミが投入される場合がある。そのため、これらを消火する消火機構１６の作用が重要である。図４は、収容部２内で消火機構１６が作動している様子を示す側断面図である。２０は上記に説明した消火機構１６におけるガスあるいは散水を行う噴射口であり、噴射口２０から噴射される消化剤２１が、吸殻等のゴミ２２の消火動作を行う。
【００３１】
消火機構１６としては、窒素ガスの発生装置が挙げられる。収容部２と窒素ガスの発生装置とを連通させれば、窒素ガス発生装置は収容部２内に窒素ガスを充填させるため、燃焼物が収容部２内に投入されても直ちに酸欠のために消火する。よって、ヤニが収容ケースの内壁面に付着することがなく、乾式なので、悪臭が周囲に漂うこともなく、かつ収容ケース内の廃棄物の除去も容易である。窒素ガス以外にも、二酸化炭素を収容部９内に放出して消火する機構としてもよい。
【００３２】
その他の消火機構としては、熱により破れる耐水性の袋の中に界面活性剤入り消火液を注入しておき、発火した場合熱によって袋から消火液を散布させ自動的に消火する方法もある。
【００３３】
また、例えば手動スイッチもしくは他の動作と連動して自動で水道管の管路を開閉する電動弁を作動させて給水し、収容部２内に散水することによって消火する方法もある。その場合、収容部の上方に、上面から内容器９側に臨ませるように角度を持って取り付けられたスプリンクラーによって散水してもよい。
【００３４】
図１および図２における、４０は煙草等の自動販売機である。図２に示す４１は、購入された商品の通り道である商品ガイド、４２は商品取り出し口、４４はコイン投入口、４５は紙幣投入口、４６はつり銭返却口である。商品ガイド４１の内部には、商品吐き出し検知センサ４３が設置される。この商品吐き出し検知センサ４３が商品吐き出し信号をキャッチすると、この信号はゴミ収容装置本体１に設置される商品吐き出し検知手段１５に送られ、後に詳述する各作業ステップを実行する。
【００３５】
次に、上記構成からなる本発明の自動販売機設置型ゴミ収容装置を使用する際の動作について、主に図１および図２を参照しつつ説明する。まず、自動販売機にて商品が購入されると、ゴミ収容装置本体１に設けられた商品吐き出し検知手段１５はこれを検知する。商品吐き出し検知手段１５によって検出された検出信号が総括制御手段３０に送られると、総括制御手段３０は駆動制御手段６に制御信号を送り、これを受けた駆動制御手段６は駆動手段５の動作を開始する。これにより蓋４が回動を開始し、投入口３が開放され、吸殻等のゴミの投入が可能となる（図５（ｂ）の状態）。そして、ゴミの投入に要する程度の所定の時間（例えば１０数秒）が経過すると、あらかじめ総括制御手段３０に設定されたタイマ機能により総括制御手段３０は駆動制御手段６に制御信号を送り、駆動制御手段６が駆動手段５を先ほどとは逆方向に回動させる。これにより蓋４が反転して投入口３が閉ざされる（図５（ａ）の状態）。
【００３６】
自動販売機で商品を購入せずに、吸殻入れとしての機能のみを利用する場合は、例えば数１０円等の所定代金を現金投入口１３から投入することにより行う。所定の代金が受領されると、現金清算手段１４から現金受領信号が総括制御手段３０に送られる。すると、前述の商品吐き出し手段１５によって検出信号が総括制御手段３０に送られた時と同様の動作を開始する。つまり、総括制御手段３０は駆動制御手段６に制御信号を送り、これを受けた駆動制御手段６は駆動手段５の動作を開始する。蓋４の閉止までのその後の動作は前述の通りであるので省略する。
【００３７】
続いて、消火機構の動作について述べる。前にも述べたように、商品が購入又は現金投入口１３から所定代金が受領された場合、一定時間蓋４が開放されて、再び蓋４は閉止する。この蓋４が閉止する際に、総括制御手段３０から駆動制御手段６に制御信号が送られると同時に、消火機構１６にも信号が送られ、消火機構１６は消火動作を開始する。すなわち、吸殻等のゴミが投入されて蓋４が閉じた直後から、消火動作が行われて、図４における噴射口２０から、ガスや水等の消火剤２１が所定量噴射されることとなる。この消火動作は、総括制御手段３０のメモリに記憶されたあらかじめ定められた所定時間続き、タイマ機能によって設定された所定時間が経過した後には、総括制御手段３０から消火動作を終了するよう信号が送られて、消火動作は完了する。
【００３８】
なお、本実施例では、ゴミが投入されるその都度、消火動作を行うこととしたが、その他の手段として、燃焼物（ここでは例えば火が完全に消えていない煙草の吸い差し等）が内容器９内に投入された時にのみ消火動作を行う構成とすることもできる。その場合、収容部２内に熱感知センサもしくは煙感知センサを設けて、このセンサが燃焼物を感知した時にのみ、総括制御手段３０を介して消火機構１６を作動する構成としてもよい。
【００３９】
また、先に述べた実施例のように吸殻等のゴミが投入された時には随時消火動作を行い、さらに消火動作が終了した後、収容部２内に設けた熱感知センサや煙感知センサが燃焼物を感知した際には、再び一定時間の消火動作を行うようにしてもよい。
【００４０】
図７は、上記に説明した一連の動作をフローチャートで示したものである。　先に述べたことと一部重複するが、主に総括制御手段３０によってなされる動作を簡潔に説明する。図７において、まず自動販売機にて商品が購入された、つまり商品吐き出し信号を検知した（Ｓ１）場合、上記に詳しく述べたように各種制御手段および駆動手段を経てステップ３へ進み、蓋４を開けて投入口３を開放する（Ｓ３）。また、商品吐き出し信号を検知しなかった場合、ゴミ収容装置１に設けられた現金投入口１３から所定代金が受領されたかどうかの判断に進み（Ｓ２）、ＹＥＳであれば同様に蓋４を開ける動作へと進む。ステップ２において所定代金が受領されない、すなわちＮＯであれば、はじめに戻る。蓋４が開放された後は、タイムカウントを行い（Ｓ４）、一定の時間が経過すると蓋４を閉止する（Ｓ５）。以上が、動作の流れである。
【００４１】
実際には代金受領段階や進行途上での否定的判断等の場合に、自動販売機もしくはゴミ収容装置に設けられた液晶パネル（図示せず）への表示あるいは音声表示を行う細かな動作が行われるが、図７におけるフローチャートでは省略している。否定的判断等の細かな動作とは、例えば収容部９内のゴミの満杯を知らせる満杯検知表示や、蓋４を一定時間開放してから閉止する際にタイムアウトを知らせるタイムアウト前表示等である。
【００４２】
タイムアウト前表示は、蓋４が閉止する２，３秒前にブザー音等の音声表示によって利用者に知らせる。これは、駅の自動券買機等で、切符や現金の取り忘れを防止するために鳴らすブザー音のようなものでかまわない。このタイムアウト前表示によれば、利用者は、じきに蓋４が閉止することがわかるために、ゴミ投入を速やかに終了することができる。タイムアウト前表示は、ブザー音等の音声表示の他に、ゴミ収容装置本体１に終了を知らせるランプを設け、このランプの点滅表示によって示す等の構成も考えられる。
【００４３】
また、図７のフローチャートでは省略しているが、先に述べた満杯表示ランプ１７が点灯しているかどうか、すなわち投入物検知センサ１８が検知した投入物の嵩が、総括制御手段３０のメモリに記憶されている設定値に達しているかどうかの判断を組み込むこともできる。フローチャートの始めにこの判断を組み込めば、すなわち満杯表示ランプ１８が点灯していればゴミ収容装置は使用中止とし、制御手段は作動せず、すべての作業ステップは実行されない。
【００４４】
次に、ゴミ収容装置の部分的な構成における別の実施例についていくつか説明する。まず、蓋４の別の構成例としては、例えば、蓋４をスライド開閉式に構成して、自動販売機にて商品を購入した際に、ゴミ収容装置を利用するかしないかを利用者の選択形式にして、利用する選択がなされた場合のみ蓋４を開放させてもよい。図６に、蓋４がスライド開閉式である実施例を示す。つまり、ゴミ収容装置本体１に蓋開放スイッチ２５を設けて、自動販売機にて商品を購入した際にその蓋開放スイッチ２５を押せば自動的に蓋４が開放される。蓋開放スイッチ２５を押すか押さないかは利用者の判断により選択されるので、ゴミを投入しない時に不用意に蓋が開放するといったことがない。蓋４が開放される時、内部の悪臭が多少外部へ排出されることはやむを得ない。しかし、不用意に蓋４を開放することをなくせば、ゴミの悪臭が外部へ漏れる回数を少しでも減らすことができる。
【００４５】
また、蓋の構成の別の実施例として、蓋４を手動で開放する構成にしてもよい。スライド式の蓋４には通常は自動ロックが係っており、自動販売機の利用者以外が勝手に蓋４を開けてゴミを投入することはできず、一方、自動販売機にて商品が購入された際には蓋４のロックが一時的に（例えば設定した所定時間）開放されて、その間に利用者がゴミを投入するようであれば、利用者の手によって、すなわち手動で蓋４が開けられて、ゴミを投入することができる。そして、所定時間が経過した後は、蓋４は自動的に閉止し、再びロックがかけられる構成とすることもできる。
【００４６】
またさらに、手動ではなく、蓋４に赤外線センサ等の人体等検知手段を設けて、
蓋４のロックが外されている間に、ゴミを投入しようとして人の手等が近づけば、人体等検知手段が検知して自動的に蓋４が開放されるように構成してもよい。
【００４７】
また、図８は収容部が引出し式の別の一実施例を示す。図に示すのは、収容部５２がゴミ収容装置本体１に埋め込まれて、ゴミを投入する時に収容部５２が装置前方に引き出された形でゴミを投入できるように構成されたものである。すなわち、自動販売機にて商品が購入された時の信号を検知すると収容部５２を装置本体１内に納めておくロックが解除され、自動的に収容部５２が前方へ押し出される（または、手動により取っ手５３によって引き出される）。そして、収容部５２の上方に開いた開口から吸殻等のゴミ２２を投入することができ、投入後は収容部５２は再びゴミ収容装置本体１内に納められる。この場合、収容部５２の投入口を覆う蓋としての部材は特に設けずともよい。
【００４８】
なお、上記にそれぞれ別の実施例を示したが、自動販売機を利用せずに所定代金を払ってゴミ収容装置のみを利用する場合も同様に作用するものとする。
【００４９】
また、収容部２内に向けて消臭手段を設けてもよい。消臭手段としては、活性炭による物理吸着と、添着した触媒による化学吸着という作用を同時に持つ添着活性炭触媒を用いてもよい。また、消臭手段としてはこの他に、植物抽出物であるフラボノイド、フィトンチッド、ヒノキチオールや、海草抽出物を主成分としアルコールと混合したもの等をファンで発散させたり、香料の香りを発散させて悪臭のマスキングを行うタイプのものでもよい。マスキング用の香りを発散する方法としては、芳香剤等を入れた消臭剤容器の蓋を開閉して発散させたり、さらにスプレー式に噴射するものとしても有効である。また、ファンを利用して臭気を室外や屋外に排気することも一法である。
【００５０】
以上、説明したように、本発明の自動販売機設置型ゴミ収容装置によれば、自動販売機で商品を購入した際に、又は、所定代金を納入した際に蓋４を自動的に開けて投入口３を開放することで吸殻等のゴミの投入が可能になる。または、自動で蓋４を開けるのではなく、自動もしくは手動で蓋４のロックが解除されて、その後蓋４を開放してゴミの投入を可能にすることができる。そして、投入後は蓋４を自動的に閉止する。いずれにせよ本発明は、自動販売機における付加的なサービスとしてのゴミ収容装置を実現している。
【図面の簡単な説明】
【図１】本発明の自動販売機設置型ゴミ収容装置の一実施例を示す全体斜視図。
【図２】本発明の自動販売機設置型ゴミ収容装置の内部構成例を示す概要図。
【図３】内容器を示す斜視図。
【図４】消火機構の動作の様子を示す側断面図。
【図５】蓋が開放されて投入口が開口として現れる様子を示す側面図。
【図６】スライド開閉式の蓋の一実施例を示す図。
【図７】本発明の自動販売機設置型ゴミ収容装置の動作を示すフローチャート。
【図８】収容部の別の一実施例を説明する図。
【符号の説明】
１　自動販売機設置型ゴミ収容装置本体
２，５２　収容部
３　投入口
４　蓋
５　駆動手段
６　駆動制御手段
９　内容器
１０　回収用扉
１２　内容器取付け枠
１３　現金投入口
１４　現金清算手段
１５　商品吐き出し検知手段
１６　消火機構
１７　満杯表示ランプ
１８　投入物検知センサ
３０　総括制御手段
４０　自動販売機
４１　商品ガイド
４２　商品取り出し口
４３　商品吐き出し検知センサ
【図１】
2004018169.tif 000003
【図２】
2004018169.tif 000004
【図３】
2004018169.tif 000005
【図４】
2004018169.tif 000006
【図５】
2004018169.tif 000007
【図６】
2004018169.tif 000008
【図７】
2004018169.tif 000009
【図８】
2004018169.tif 000010